(57)【要約】【課題】装置の大型化を抑制して、媒体の厚さに関係なく安定した画像情報の取得を実現する。【解決手段】第１の方向に媒体Ｍを搬送する搬送ローラ１１ｂと、媒体Ｍに形成された画像情報を取得する取得部１３ａとを備え、取得部１３ａは、媒体Ｍの厚さに基づく搬送ローラ１１ｂの第１の方向に直交する第２の方向の変位に基づいて、第２の方向に変位するように構成されている。【選択図】図３
2018020888.tif 000002
【特許請求の範囲】
【請求項１】
第１の方向に媒体を搬送する搬送ローラと、
上記媒体に形成された画像情報を取得する取得部とを備え、
上記取得部は、上記媒体の厚さに基づく上記搬送ローラの上記第１の方向に直交する第２の方向の変位に基づいて、上記第２の方向に変位するように構成されている、情報取得装置。
【請求項２】
上記取得部の上記第２の方向における変位の大きさは、上記搬送ローラの上記第２の方向における変位の大きさと略等しい、請求項１に記載の情報取得装置。
【請求項３】
上記取得部の上記第２の方向における変位の大きさは、上記搬送ローラの上記第２の方向における変位の大きさよりも小さく、
上記第２の方向に変位した取得部から上記媒体が搬送される搬送面までの距離は、上記媒体の厚さよりも大きい、請求項１に記載の情報取得装置。
【請求項４】
上記取得部は、上記搬送ローラの上記第２の方向における変位が所定の大きさになるまで上記第２の方向に変位しないように構成されている、請求項３に記載の情報取得装置。
【請求項５】
上記取得部は、上記搬送ローラが上記媒体と接して上記第２の方向に変位した場合、上記第２の方向に変位するように構成されている、請求項１乃至４の何れか１つに記載の情報取得装置。
【請求項６】
上記取得部は、上記媒体が該取得部を通過するまで上記第２の方向における変位した位置にとどまるように構成されている、請求項１乃至５の何れか１つに記載の情報取得装置。
【請求項７】
上記搬送ローラは、上記取得部の上記第１の方向の一方側に配置された第１搬送ローラと、上記取得部の上記第１の方向の他方側に配置された第２搬送ローラとを備え、
上記取得部は、上記媒体が上記第２搬送ローラを通過した後に、上記第２の方向における第１の位置に変位するように構成されている、請求項１乃至６の何れか１つに記載の情報取得装置。
【請求項８】
上記取得部は、上記媒体の厚さに基づく上記第２搬送ローラの上記第２の方向の変位に基づいて、上記第２の方向における第２の位置に変位するように構成されている、請求項７に記載の情報取得装置。
【発明の詳細な説明】
【技術分野】
【０００１】
本発明は、情報取得装置に関し、特に、紙書類やカード等の媒体に示された情報を取得する情報取得装置に関するものである。
【背景技術】
【０００２】
近年、紙書類のデジタルデータ化が進むに伴って、紙書類等の媒体を搬送しながら読み取るドキュメントスキャナと呼ばれる原稿読取装置が注目されている。
【０００３】
例えば、特許文献１には、一対の搬送ローラの隙間と一対の排出ローラの隙間とを媒体の厚さに応じて調整するリンク機構を有する原稿読取装置が開示されている。
【先行技術文献】
【特許文献】
【０００４】
【特許文献１】特開２０１３−９５５３２号公報
【発明の概要】
【発明が解決しようとする課題】
【０００５】
ところで、上記特許文献１に開示された原稿読取装置では、媒体の厚さに応じて、ローラの隙間を調整するので、異なる厚さの媒体を搬送することが一応できるものの、ＣＣＤ（Charge Coupled Device）又はＣＩＳ（Contact Image Sensor）の読取部での読み取り動作が考慮されていないので、改善の余地がある。具体的には、上記特許文献１に開示された原稿読取装置では、異なる厚さの媒体を搬送することができたとしても、媒体が読取部の下側を通過する際に、原稿導入部を原稿が押し下げる必要がある。ここで、媒体の厚さが厚くなると、それ相応の推進力が必要になるので、媒体を搬送するローラの駆動軸に大型モーターや減速比の大きなギア列等を接続する必要がある。そうなると、原稿読取装置（情報取得装置）が大型化してしまう。
【０００６】
本発明は、かかる点に鑑みてなされたものであり、その目的とするところは、装置の大型化を抑制して、媒体の厚さに関係なく安定した画像情報の取得を実現することにある。
【課題を解決するための手段】
【０００７】
上記目的を達成するために、本発明は、媒体に形成された画像情報を取得する取得部が媒体の厚さに基づく搬送ローラの変位に基づいて変位するようにしたものである。
【０００８】
具体的に本発明に係る情報取得装置は、第１の方向に媒体を搬送する搬送ローラと、上記媒体に形成された画像情報を取得する取得部とを備え、上記取得部は、上記媒体の厚さに基づく上記搬送ローラの上記第１の方向に直交する第２の方向の変位に基づいて、上記第２の方向に変位するように構成されている。
【０００９】
上記の構成によれば、取得部は、搬送ローラにより第１の方向に搬送される媒体に形成された画像情報を取得するように構成されている。そして、その取得部は、搬送ローラから移送される媒体の厚さに基づく搬送ローラの第１の方向に直交する第２の方向の変位に基づいて、変位するように構成されている。そのため、媒体の厚さが厚くなると、媒体を搬送する搬送ローラが第２の方向の一方側（例えば、上側）に変位し、それに伴って、取得部が第２の方向の一方側（例えば、上側）に変位することになる。これにより、媒体の厚さが厚くなっても、媒体が取得部（の下側）を押し上げる必要がなくなるので、搬送ローラの回転軸に大型のモーターや減速比の大きなギア列等を設ける必要がなく、情報取得装置の大型化を抑制することができる。したがって、装置の大型化を抑制して、媒体の厚さに関係なく安定した画像情報の取得を実現することができる。
【００１０】
上記取得部の上記第２の方向における変位の大きさは、上記搬送ローラの上記第２の方向における変位の大きさと略等しくてもよい。
【００１１】
上記の構成によれば、取得部の第２の方向における変位の大きさが搬送ローラの第２の方向における変位の大きさと略等しくなるので、搬送ローラの第２の方向における変位分だけ、取得部を第２の方向に変位させることができる。ここで、取得部の第２の方向における変位の大きさが搬送ローラの第２の方向における変位の大きさと略等しくするには、例えば、搬送ローラを回転可能に支持すると共に、取得部を固定状態で保持する連結部によって、搬送ローラと取得部とを連結すればよい。
【００１２】
上記取得部の上記第２の方向における変位の大きさは、上記搬送ローラの上記第２の方向における変位の大きさよりも小さく、上記第２の方向に変位した取得部から上記媒体が搬送される搬送面までの距離は、上記媒体の厚さよりも大きくてもよい。
【００１３】
上記の構成によれば、取得部の第２の方向における変位の大きさが搬送ローラの第２の方向における変位の大きさよりも小さくても、第２の方向に変位した取得部から媒体が搬送される搬送面までの距離が媒体の厚さよりも大きくなっているので、取得部と媒体との間に適度な隙間を形成することができる。
【００１４】
上記取得部は、上記搬送ローラの上記第２の方向における変位が所定の大きさになるまで上記第２の方向に変位しないように構成されていてもよい。
【００１５】
上記の構成によれば、搬送ローラの第２の方向における変位が所定の大きさになるまで、取得部が第２の方向に変位しないように構成されているので、媒体の厚さが所定の厚さを超えた場合にだけ、取得部を第２の方向に変位させることができる。ここで、媒体の厚さが所定の厚さを超えた場合にだけ、取得部を第２の方向に変位させるには、例えば、搬送ローラを回転可能に支持すると共に、取得部を第２の方向に移動可能に保持する連結部によって、搬送ローラと取得部とを連結する部材間に遊びを形成すればよい。
【００１６】
上記取得部は、上記搬送ローラが上記媒体と接して上記第２の方向に変位した場合、上記第２の方向に変位するように構成されていてもよい。
【００１７】
上記の構成によれば、媒体との接触によって搬送ローラが第２の方向に変位したときに、取得部が第２の方向に変位するように構成されているので、媒体が取得部を通過し始める際には、取得部が第２の方向の一方側（例えば、上側）に変位して、取得部（の下側）を通過させる際の媒体の搬送を容易にすることができる。
【００１８】
上記取得部は、上記媒体が該取得部を通過するまで上記第２の方向における変位した位置にとどまるように構成されていてもよい。
【００１９】
上記の構成によれば、媒体が取得部を通過するまで、取得部が第２の方向における変位した位置にとどまるように構成されているので、媒体が取得部を通過する間、取得部が第２の方向における変位した位置にとどまり、取得部を通過させる際の媒体の搬送を容易にすることができる。
【００２０】
上記搬送ローラは、上記取得部の上記第１の方向の一方側に配置された第１搬送ローラと、上記取得部の上記第１の方向の他方側に配置された第２搬送ローラとを備え、上記取得部は、上記媒体が上記第２搬送ローラを通過した後に、上記第２の方向における第１の位置に変位するように構成されていてもよい。
【００２１】
上記の構成によれば、媒体が第２搬送ローラを通過した後に、取得部が第２の方向における（変位前の）第１の位置に変位するように構成されているので、媒体が第２搬送ローラを通過した後は、媒体が第１搬送ローラから装置本体に移送される前の初期状態に取得部の位置を戻すことができる。
【００２２】
上記取得部は、上記媒体の厚さに基づく上記第２搬送ローラの上記第２の方向の変位に基づいて、上記第２の方向における第２の位置に変位するように構成されていてもよい。
【００２３】
上記の構成によれば、取得部は、第１搬送ローラ及び第２搬送ローラにより第１の方向に搬送される媒体に形成された画像情報を取得するように構成されている。そして、その取得部は、第２搬送ローラから移送される媒体の厚さに基づく第２搬送ローラの第２の方向の変位に基づいて、第２の方向に変位するように構成されている。そのため、媒体の厚さが厚くなると、媒体を搬送する第２搬送ローラが第２の方向の一方側（例えば、上側）に変位し、それに伴って、取得部が第２の方向の一方側（例えば、上側）に変位することになる。これにより、媒体の厚さが厚くなっても、媒体が取得部（の下側）を押し上げる必要がなくなるので、搬送ローラの回転軸に大型のモーターや減速比の大きなギア列等を設ける必要がなく、情報取得装置の大型化を抑制することができる。したがって、第２搬送ローラ側から媒体が移送される場合であっても、装置の大型化を抑制して、媒体の厚さに関係なく安定した画像情報の取得を実現することができる。
【発明の効果】
【００２４】
本発明によれば、媒体に形成された画像情報を取得する取得部が媒体の厚さに基づく搬送ローラの変位に基づいて変位するように構成されているので、装置の大型化を抑制して、媒体の厚さに関係なく安定した画像情報の取得を実現することができる。
【図面の簡単な説明】
【００２５】
【図１】本発明の実施形態１に係る情報取得装置の斜視図である。
【図２】本発明の実施形態１に係る情報取得装置の内部構造を示す第１の側面図である。
【図３】本発明の実施形態１に係る情報取得装置の内部構造を示す第２の側面図である。
【図４】本発明の実施形態１に係る情報取得装置を構成する取得部の斜視図である。
【図５】図４中のV−V線に沿った取得部及びそれを備えた情報取得装置の断面図である。
【図６】図４中の領域Ａを拡大した斜視図である。
【図７】本発明の実施形態２に係る情報取得装置の内部構造を示す第１の断面図である。
【図８】図7中の領域Ｂを拡大した断面図である。
【図９】本発明の実施形態２に係る情報取得装置の内部構造を示す第２の断面図である。
【図１０】図９中の領域Ｃを拡大した断面図である。
【図１１】本発明の実施形態２に係る情報取得装置の内部構造を示す第３の断面図である。
【図１２】図１１中の領域Ｄを拡大した断面図である。
【図１３】本発明の実施形態３に係る情報取得装置の内部構造を示す側面図である。
【図１４】本発明の実施形態３に係る情報取得装置を構成する取得部の斜視図である。
【図１５】図１４中の領域Ｅを拡大した断面図である。
【図１６】本発明の実施形態３に係る情報取得装置の内部構造を示す断面図である。
【図１７】本発明の実施形態４に係る情報取得装置の内部構造を示す第１の側面図である。
【図１８】本発明の実施形態４に係る情報取得装置の内部構造を示す第２の側面図である。
【図１９】本発明の実施形態４に係る情報取得装置を構成する取得部及びその周辺部の断面図である。
【図２０】本発明の実施形態５に係る情報取得装置の内部構造を示す第１の側面図である。
【図２１】本発明の実施形態５に係る情報取得装置の内部構造を示す第２の側面図である。
【発明を実施するための形態】
【００２６】
以下、本発明の実施形態を図面に基づいて詳細に説明する。なお、本発明は、以下の各実施形態に限定されるものではない。
【００２７】
《発明の実施形態１》
図１〜図６は、本発明に係る情報取得装置の実施形態１を示している。なお、以下の各実施形態では、情報取得装置として、ドキュメントスキャナを例示する。ここで、図１は、本実施形態のドキュメントスキャナ５０の斜視図である。また、図２は、搬送ローラ間に媒体Ｍが移送される前のドキュメントスキャナ５０の装置本体２５ａの内部構造を示す側面図である。また、図３は、搬送ローラ間に媒体Ｍが移送された後のドキュメントスキャナ５０の装置本体２５ａの内部構造を示す側面図である。また、図４は、ドキュメントスキャナ５０の装置本体２５ａを構成する上側取得部１３ａの斜視図である。また、図５は、図４中のV−V線に沿った上側取得部１３ａ及びそれを備えた装置本体２５ａの断面図である。また、図６は、図４中の領域Ａを拡大した斜視図である。
【００２８】
ドキュメントスキャナ５０は、図１に示すように、下側筐体２１、上側筐体２２、左側面カバー２３ａ及び右側面カバー２３ｂを有する装置本体２５ａと、装置本体２５ａの背面側にヒンジを介して連結された第１給紙トレー２６と、第１給紙トレー２６の背面側にヒンジを介して連結された第２給紙トレー２７とを備えている。
【００２９】
下側筐体２１は、例えば、上面の一部、左側面及び右側面が開口した略直方体状の箱形に形成されている。ここで、下側筐体２１の上面の開口した部分は、後述する下側第１搬送ローラ１１ａの上部、下側取得部１３ｕの上部、及び下側第２搬送ローラ１２ａの上部をそれぞれ露出させるように設けられている。また、下側筐体２１の左側面の開口した部分、及び後述する上側筐体２２の左側面の開口した部分は、図１に示すように、左側面カバー２３ａで覆われている。また、下側筐体２１の右側面の開口した部分、及び後述する上側筐体２２の右側面の開口した部分は、図１に示すように、右側面カバー２３ｂで覆われている。
【００３０】
下側筐体２１内には、図２、図３及び図５に示すように、下側第１搬送ローラ１１ａ、下側取得部１３ｕ、及び下側第２搬送ローラ１２ａがそれぞれ設けられている。ここで、下側第１搬送ローラ１１ａ及び下側第２搬送ローラ１２ａは、図２、図３及び図５に示すように、下側取得部１３ｕの後述する第１の方向の一方側（図中左側）及び他方側（図中右側）に配置されている。
【００３１】
下側第１搬送ローラ１１ａは、後述する上側第１搬送ローラ１１ｂと共に、媒体Ｍを挟んで第１の方向（例えば、図２中の横方向）に搬送するように構成されている。また、下側第１搬送ローラ１１ａは、図２、図３及び図５に示すように、下側筐体２１内に固定された回転軸１０ａ周りに回転可能に設けられている。ここで、回転軸１０ａは、モーター等に直接的又は間接的に接続された駆動軸である。
【００３２】
下側取得部１３ｕは、図２、図３及び図５に示すように、下側第１搬送ローラ１１ａ及び下側第２搬送ローラ１２ａの間に設けられ、下側第１搬送ローラ１１ａ及び上側第１搬送ローラ１１ｂの間から移送された媒体Ｍの裏面に形成された画像情報を取得するように構成されている。また、下側取得部１３ｕは、下側筐体２１に固定されている。また、下側取得部１３ｕは、ＣＩＳであり、図５に示すように、上側が開口した横断面Ｕ字状に設けられたセンサー筐体２と、センサー筐体２内に設けられた光源３及び受光素子４と、センサー筐体２の開口した部分を覆うように設けられたガラス板１とを備えている。
【００３３】
下側第２搬送ローラ１２ａは、後述する上側第２搬送ローラ１２ｂと共に、媒体Ｍを挟んで第１の方向（例えば、図２中の横方向）に搬送するように構成されている。また、下側第２搬送ローラ１２ａは、図２、図３及び図５に示すように、下側筐体２１内に固定された回転軸１０ｃ周りに回転可能に設けられている。ここで、回転軸１０ｃは、モーター等に直接的又は間接的に接続された駆動軸である。
【００３４】
上側筐体２２は、例えば、下面の一部、右側面及び左側面が開口した略直方体状の箱形に形成されている。ここで、上側筐体２２の下面の開口した部分は、後述する上側第１搬送ローラ１１ｂの下部、上側取得部１３ａの下部、及び上側第２搬送ローラ１２ｂの下部をそれぞれ露出させるように設けられている。
【００３５】
上側筐体２２内には、図２、図３及び図５に示すように、上側第１搬送ローラ１１ｂ、上側取得部１３ａ、及び上側第２搬送ローラ１２ｂがそれぞれ設けられている。ここで、上側第１搬送ローラ１１ｂ及び上側第２搬送ローラ１２ｂは、図２、図３及び図５に示すように、上側取得部１３ａの第１の方向の一方側（図中左側）及び他方側（図中右側）に配置されている。
【００３６】
上側第１搬送ローラ１１ｂは、図２、図３及び図５に示すように、上側筐体２２内で上述した第１の方向に直交する第２の方向（例えば、図２中の縦方向）に沿って移動する従動軸の回転軸１０ｂ周りに回転可能に設けられている。
【００３７】
上側取得部１３ａは、図２、図３及び図５に示すように、上側第１搬送ローラ１１ｂ及び上側第２搬送ローラ１２ｂの間に設けられ、下側第１搬送ローラ１１ａ及び上側第１搬送ローラ１１ｂの間から移送された媒体Ｍの表面に形成された画像情報を取得するように構成されている。また、上側取得部１３ａは、図２、図３及び図５に示すように、媒体Ｍの搬送路を挟んで、下側取得部１３ｕに対向するように設けられている。また、上側取得部１３ａは、図２〜図５に示すように、上側筐体２２の天井面から下方に突出して上側筐体２２内に固定されたガイド部材２２ａ及び２２ｂに沿って上述した第２の方向に移動可能に設けられている。また、上側取得部１３ａは、図２〜図５に示すように、上側筐体２２との間に弾性部材として設けられたスプリング１５により、下側取得部１３ｕ側に付勢されている。また、上側取得部１３ａは、ＣＩＳであり、図５に示すように、下側が開口した横断面Ｕ字状に設けられたセンサー筐体２と、センサー筐体２内に設けられた光源３及び受光素子４と、センサー筐体２の開口した部分を覆うように設けられたガラス板１とを備えている。ここで、上側取得部１３ａのセンサー筐体２の側面には、図５に示すように、後述する連結部１４ａの保持爪部１４ｔを嵌め込むための凹部２ｂが設けられている。また、上側取得部１３ａのセンサー筐体２の上面の両端部には、図４及び図６に示すように、左側面カバー２３ａ及び右側面カバー２３ｂから突出する凸部２３ｃが挿入される貫通孔を有する突出部２ａが設けられている。なお、突出部２ａの貫通孔は、凸部２３ｃが上述した第２の方向に移動可能に縦長に形成されているので、上側取得部１３ａが上述した第２の方向に移動可能になっている。
【００３８】
上側第２搬送ローラ１２ｂは、図２、図３及び図５に示すように、上側筐体２２内で上述した第２の方向に沿って移動する従動軸の回転軸１０ｄ周りに回転可能に設けられている。ここで、上側第１搬送ローラ１１ｂ、上側取得部１３ａ及び上側第２搬送ローラ１２ｂは、図２〜図５に示すように、上側第１搬送ローラ１１ｂ、上側取得部１３ａ及び上側第２搬送ローラ１２ｂを連動させて上述した第２の方向に変位させるために連結部１４ａで連結されている。
【００３９】
連結部１４ａは、図５に示すように、回転軸１０ｂ及び１０ｄを受けて上側第１搬送ローラ１１ｂ及び１２ｂを回転可能に支持し、保持爪部１４ｔにより上側取得部１３ａを固定状態で保持するように構成されている。ここで、連結部１４ａは、媒体Ｍが移送されたときの下側第１搬送ローラ１１ａ及び上側第１搬送ローラ１１ｂの間隔に合わせて、上側取得部１３ａと下側取得部１３ｕとの間隔を調整する調整部であり、移送された媒体Ｍによる上側第１搬送ローラ１１ｂの押し上げ分だけ上側取得部１３ａを押し上げるように構成されている。なお、上側取得部１３ａの第２の方向における変位の大きさと、上側第１搬送ローラ１１ｂの第２の方向における変位の大きさとは、略等しく、それらの差が１ｍｍ〜１０ｍｍ程度以内になっている。
【００４０】
上記構成のドキュメントスキャナ５０は、図２及び図３に示すように、下側第１搬送ローラ１１ａ及び上側第１搬送ローラ１１ｂの間に図２中の左側から媒体Ｍが移送されると、媒体Ｍとの接触により上側第１搬送ローラ１１ｂが上述した第２の方向（例えば、図２中の縦方向）の上側に押し上げられる。このとき、上側第１搬送ローラ１１ｂに連結された上側取得部１３ａは、上述した第２の方向の上側に押し上げられる。その後、上側取得部１３ａは、媒体Ｍが上側取得部１３ａ及び下側取得部１３ｕの間を通過するまで上述した第２の方向における変位した位置にとどまり、媒体Ｍが下側第２搬送ローラ１２ａ及び上側第２搬送ローラ１２ｂの間を通過した後に、上述した第２の方向における変位前の（第１の）位置に戻る。なお、媒体Ｍが上側取得部１３ａの下側を通過する際に、上側取得部１３ａの下面は、媒体Ｍの表面と接触している（媒体Ｍの表面からの距離が０ｍｍ程度である）ことが好ましく、媒体Ｍの表面から３ｍｍ程度離れていてもよい。また、上側取得部１３ａは、例えば、ガイド部材２２ａ及び２２ｂに係合する係合溝を設けておき、係合溝とガイド部材２２ａ及び２２ｂとが係合することにより、上述した第２の方向における変位した位置にとどまってもよい。
【００４１】
また、ドキュメントスキャナ５０は、下側第２搬送ローラ１２ａ及び上側第２搬送ローラ１２ｂの間に図２中の右側から媒体Ｍが移送されると、媒体Ｍとの接触により上側第２搬送ローラ１２ｂが上述した第２の方向の上側に押し上げられる。このとき、上側第２搬送ローラ１２ｂに連結された上側取得部１３ａは、上述した第２の方向の上側に押し上げられる。その後、上側取得部１３ａは、媒体Ｍが上側取得部１３ａ及び下側取得部１３ｕの間を通過するまで上述した第２の方向における変位した位置にとどまり、媒体Ｍが下側第１搬送ローラ１１ａ及び上側第１搬送ローラ１１ｂの間を通過した後に、上述した第２の方向における変位前の位置に戻る。なお、下側第１搬送ローラ１１ａ及び上側第１搬送ローラ１１ｂ側から媒体Ｍが移送された際の上側第１搬送ローラ１１ｂの変位情報を上側取得部１３ａ内に記憶しておき、その変位情報を同じ媒体Ｍが下側第２搬送ローラ１２ａ及び上側第２搬送ローラ１２ｂの側から移送される際の上側第２搬送ローラ１２ｂの変位に利用してもよい。
【００４２】
さらに、ドキュメントスキャナ５０は、上側取得部１３ａが押し上げられた状態で、媒体Ｍの表面に形成された画像情報を上側取得部１３ａで取得すると共に、媒体Ｍの裏面に形成された画像情報を下側取得部１３ｕで取得するように構成されている。
【００４３】
以上説明したように、本実施形態のドキュメントスキャナ５０によれば、以下の効果を得ることができる。
【００４４】
（１）上側取得部１３ａは、上側第１搬送ローラ１１ｂにより第１の方向に搬送される媒体Ｍの表面に形成された画像情報を取得するように構成されている。そして、上側取得部１３ａは、上側第１搬送ローラ１１ｂから移送される媒体Ｍの厚さに基づく上側第１搬送ローラ１１ｂの第１の方向に直交する第２の方向の変位に基づいて、第２の方向に変位するように構成されている。そのため、媒体Ｍの厚さが厚くなると、媒体Ｍを搬送する上側第１搬送ローラ１１ｂが第２の方向の上側に変位し、それに伴って、上側取得部１３ａが第２の方向の上側に変位することになる。これにより、媒体Ｍの厚さが厚くなっても、媒体Ｍが上側取得部１３ａの下側を押し上げる必要がなくなるので、上側第１搬送ローラ１１ｂの回転軸に大型のモーターや減速比の大きなギア列等を設ける必要がなく、装置本体２５ａの大型化を抑制することができる。したがって、装置の大型化を抑制して、媒体Ｍの厚さに関係なく安定した画像情報の取得を実現することができる。
【００４５】
（２）上側第１搬送ローラ１１ｂ及び上側取得部１３ａが連結部１４ａによって連結されているので、上側取得部１３ａの第２の方向における変位の大きさが上側第１搬送ローラ１１ｂの第２の方向における変位の大きさと略等しくなる。そのため、上側第１搬送ローラ１１ｂの第２の方向における変位分だけ、上側取得部１３ａを第２の方向に変位させることができる。
【００４６】
（３）媒体Ｍとの接触によって上側第１搬送ローラ１１ｂが第２の方向に変位したときに、上側取得部１３ａが第２の方向に変位するように構成されているので、媒体Ｍが上側取得部１３ａを通過し始める際には、上側取得部１３ａが第２の方向の上側に変位して、上側取得部１３ａの下側を通過させる際の媒体Ｍの搬送を容易にすることができる。
【００４７】
（４）媒体Ｍが上側取得部１３ａを通過するまで、上側取得部１３ａが第２の方向における変位した位置にとどまるように構成されているので、媒体Ｍが上側取得部１３ａを通過する間、上側取得部１３ａが第２の方向における変位した位置にとどまり、上側取得部１３ａを通過させる際の媒体Ｍの搬送を容易にすることができる。
【００４８】
（５）媒体Ｍが上側第２搬送ローラ１２ｂを通過した後に、上側取得部１３ａが第２の方向における変位前の位置に戻るように構成されているので、媒体Ｍが上側第２搬送ローラ１２ｂを通過した後は、媒体Ｍが上側第１搬送ローラ１１ｂから装置本体２５ａに移送される前の初期状態に上側取得部１３ａを戻すことができる。
【００４９】
（６）上側取得部１３ａは、上側第１搬送ローラ１１ｂ及び上側第２搬送ローラ１２ｂにより第１の方向に搬送される媒体Ｍの表面に形成された画像情報を取得するように構成されている。そして、上側取得部１３ａは、上側第２搬送ローラ１２ｂから移送される媒体Ｍの厚さに基づく上側第２搬送ローラ１２ｂの第２の方向の変位に基づいて、第２の方向に変位するように構成されている。そのため、媒体Ｍの厚さが厚くなると、媒体Ｍを搬送する上側第２搬送ローラ１２ｂが第２の方向の上側に変位し、それに伴って、上側取得部１３ａが第２の方向の上側に変位することになる。これにより、媒体Ｍの厚さが厚くなっても、媒体Ｍが上側取得部１３ａの下側を押し上げる必要がなくなるので、上側第２搬送ローラ１２ｂの回転軸に大型のモーターや減速比の大きなギア列等を設ける必要がなく、装置本体２５ａの大型化を抑制することができる。したがって、上側第２搬送ローラ１２ｂ側から媒体Ｍが移送される場合であっても、装置の大型化を抑制して、媒体Ｍの厚さに関係なく安定した画像情報の取得を実現することができる。
【００５０】
（７）上側取得部１３ａが上側筐体２２内に固定されたガイド部材２２ａ及び２２ｂに沿って第２の方向に移動可能に設けられているので、下側筐体２１に固定された下側取得部１３ｕに対向する上側取得部１３ａを第２の方向に沿って確実に押し上げることができる。
【００５１】
（８）上側取得部１３ａが下側取得部１３ｕ側にスプリング１５により付勢されているので、媒体Ｍの搬送路が水平でない場合であっても、上側取得部１３ａの自重及びスプリング１５の弾性力によって、上側取得部１３ａを下側取得部１３ｕ側に付勢することができる。
【００５２】
（９）媒体Ｍの裏面に形成された画像情報を取得する下側取得部１３ｕを備えているので、媒体Ｍを第１の方向に搬送させることにより、媒体Ｍの表面及び裏面の両面に形成された画像情報を同時に取得することができる。
【００５３】
《発明の実施形態２》
図７〜図１２は、本発明に係る情報取得装置の実施形態２を示している。ここで、図７は、本実施形態のドキュメントスキャナを構成する装置本体２５ｂにおいて、搬送ローラ間に媒体Ｍａ又はＭｂが移送される前の内部構造を示す断面図である。また、図８は、図７中の領域Ｂを拡大した断面図である。また、図９は、装置本体２５ｂにおいて、搬送ローラ間に薄手の媒体Ｍａが移送された後の内部構造を示す断面図である。また、図１０は、図９中の領域Ｃを拡大した断面図である。また、図１１は、装置本体２５ｂにおいて、搬送ローラ間に厚手の媒体Ｍｂが移送された後の内部構造を示す断面図である。また、図１２は、図１１中の領域Ｄを拡大した断面図である。なお、以下の各実施形態において、図１〜図６と同じ部分については同じ符号を付して、その詳細な説明を省略する。
【００５４】
本実施形態のドキュメントスキャナは、下側筐体２１、上側筐体２２、左側面カバー２３ａ及び右側面カバー２３ｂを有する装置本体２５ｂと、装置本体２５ｂの背面側にヒンジを介して連結された第１給紙トレー２６と、第１給紙トレー２６の背面側にヒンジを介して連結された第２給紙トレー２７とを備えている。
【００５５】
上側筐体２２内には、図７、図９及び図１１に示すように、上側第１搬送ローラ１１ｂ、上側取得部１３ｂ及び上側第２搬送ローラ１２ｂがそれぞれ設けられている。ここで、上側第１搬送ローラ１１ｂ及び上側第２搬送ローラ１２ｂは、図７、図９及び図１１に示すように、上側取得部１３ｂの第１の方向の一方側（図中左側）及び他方側（図中右側）に配置されている。
【００５６】
上側取得部１３ｂは、図７、図９及び図１１に示すように、上側第１搬送ローラ１１ｂ及び上側第２搬送ローラ１２ｂの間に設けられ、下側第１搬送ローラ１１ａ及び上側第１搬送ローラ１１ｂの間から移送された媒体Ｍａ又はＭｂの表面に形成された画像情報を取得するように構成されている。また、上側取得部１３ｂは、図７、図９及び図１１に示すように、媒体Ｍａ又はＭｂの搬送路を挟んで、下側取得部１３ｕに対向するように設けられている。また、上側取得部１３ｂは、図７、図９及び図１１に示すように、上側筐体２２の天井面から下方に突出して上側筐体２２内に固定されたガイド部材２２ａ及び２２ｂに沿って上述した第２の方向に移動可能に設けられている。また、上側取得部１３ｂは、上側筐体２２との間に弾性部材として設けられたスプリング１５（図２〜図５参照）により、下側取得部１３ｕ側に付勢されている。なお、図７、図９及び図１１では、上側筐体２２と上側取得部１３ｂとの間に配置するスプリング１５が省略されている。また、上側取得部１３ｂは、ＣＩＳであり、図７、図９及び図１１に示すように、下側が開口した横断面Ｕ字状に設けられたセンサー筐体２と、センサー筐体２内に設けられた光源３及び受光素子４と、センサー筐体２の開口した部分を覆うように設けられたガラス板１とを備えている。ここで、上側取得部１３ｂのセンサー筐体２の側面には、図７〜図１２に示すように、後述する連結部１４ｂの保持爪部１４ｔを係合させるための凹部２ｃが設けられている。なお、凹部２ｃの底の幅（図７〜図１２中の縦方向の長さ）は、それに対応する上記実施形態１の凹部２ｂの底の幅よりも長くなっており、保持爪部１４ｔに対して第２方向への遊びが存在する。また、上側取得部１３ｂのセンサー筐体２の上面の両端部には、左側面カバー２３ａ及び右側面カバー２３ｂから突出する凸部２３ｃが挿入される貫通孔を有する突出部２ａが設けられている。
【００５７】
上側第１搬送ローラ１１ｂ、上側取得部１３ｂ及び上側第２搬送ローラ１２ｂは、図７、図９及び図１１に示すように、連結部１４ｂで連結されている。
【００５８】
連結部１４ｂは、上記実施形態１の連結部１４ａと実質的に同じ形状をしており、回転軸１０ｂ及び１０ｄを受けて上側第１搬送ローラ１１ｂ及び１２ｂを回転可能に支持すると共に、係合部として設けられた保持爪部１４ｔにより上側取得部１３ａを上述した第２の方向に沿って所定の遊びの範囲内（凹部２ｃ内）で移動可能に保持するように構成されている。ここで、連結部１４ｂは、媒体Ｍａ又はＭｂが移送されたときの下側第１搬送ローラ１１ａ及び上側第１搬送ローラ１１ｂの間隔に合わせて、上側取得部１３ｂと下側取得部１３ｕとの間隔を調整する調整部であり、移送された媒体Ｍａ又はＭｂによる上側第１搬送ローラ１１ｂの押し上げ分よりも小さく上側取得部１３ｂを押し上げるように構成されている。すなわち、連結部１４ｂは、上側第１搬送ローラ１１ｂ、上側取得部１３ｂ及び上側第２搬送ローラ１２ｂを連動させて上述した第２の方向に変位させるように構成されている。なお、上述した第２の方向の上側に押し上げられた上側取得部１３ｂから媒体Ｍａ又はＭｂが搬送される搬送面（媒体Ｍａ又はＭｂの裏面）までの距離、すなわち、上側取得部１３ｂ及び下側取得部１３ｕの間隔は、媒体Ｍａ又はＭｂの厚さよりも広くてもよい。
【００５９】
以下に、上側取得部１３ｂの側面に設けられた凹部２ｃ内における連結部１４ｂの保持爪部１４ｔの動きについて説明する。
【００６０】
第１に、下側第１搬送ローラ１１ａ及び上側第１搬送ローラ１１ｂの間に媒体Ｍａ又はＭｂが移送される前には、図７及び図８に示すように、連結部１４ｂが左側面カバー２３ａ及び右側面カバー２３ｂから突出する凸部２３ｃで支持されているので、保持爪部１４ｔは、図８に示すように、凹部２ｃの図中上面に対して隙間を有している。
【００６１】
第２に、下側第１搬送ローラ１１ａ及び上側第１搬送ローラ１１ｂの間に薄手（例えば、０．１ｍｍ程度）の媒体Ｍａが移送されると、図９に示すように、上側第１搬送ローラ１１ｂの押し上げに伴って、連結部１４ｂが小さく押し上げられるので、保持爪部１４ｔは、図１０に示すように、凹部２ｃの図中上面との隙間が小さくなる。このとき、連結部１４ｂの保持爪部１４ｔと上側取得部１３ｂとは、接していないので、連結部１４ｂが押し上げられたとしても、上側取得部１３ｂが押し上げられず、上側取得部１３ｂと下側取得部１３ｕとの間隔は、Ｔａ（図８及び図１０参照）のままである。
【００６２】
第３に、下側第１搬送ローラ１１ａ及び上側第１搬送ローラ１１ｂの間に厚手（例えば、１ｍｍ程度）の媒体Ｍｂが移送されると、図１１に示すように、上側第１搬送ローラ１１ｂの押し上げに伴って、連結部１４ｂが大きく押し上げられるので、保持爪部１４ｔは、図１２に示すように、凹部２ｃの図中上面との隙間がなくなる。このとき、連結部１４ｂと上側取得部１３ｂとは、接しているので、連結部１４ｂが押し上げられると、保持爪部１４ｔが上側取得部１３ｂを押圧することにより、上側取得部１３ｂが押し上げられる。これにより、上側取得部１３ｂから下側取得部１３ｕが形成する媒体Ｍｂを搬送する搬送面までの距離が長くなって、上側取得部１３ｂと下側取得部１３ｕとの間隔は、拡がって、Ｔｂとなる。
【００６３】
したがって、本実施形態のドキュメントスキャナの装置本体２５ｂは、図９に示すように、下側第１搬送ローラ１１ａ及び上側第１搬送ローラ１１ｂの間に薄手の媒体Ｍａが移送されると、上側第１搬送ローラ１１ｂが押し上げられるものの、上側第１搬送ローラ１１ｂが所定の距離まで押し上げられなければ、上側取得部１３ｂが押し上げられないように構成されている。また、本実施形態のドキュメントスキャナの装置本体２５ｂは、図１１に示すように、下側第１搬送ローラ１１ａ及び上側第１搬送ローラ１１ｂの間に厚手の媒体Ｍｂが移送されると、上側第１搬送ローラ１１ｂが押し上げられて、上側取得部１３ｂも押し上げられるように構成されている。なお、下側第２搬送ローラ１２ａ及び上側第２搬送ローラ１２ｂの間に図９及び図１１の図中右側から媒体Ｍａ又はＭｂが移送された場合であっても、同様である。
【００６４】
以上説明したように、本実施形態のドキュメントスキャナによれば、上述した（１）、（３）〜（９）及び以下の効果を得ることができる。
【００６５】
（１）について詳述すると、上側取得部１３ｂは、上側第１搬送ローラ１１ｂにより第１の方向に搬送される媒体Ｍａ又はＭｂの表面に形成された画像情報を取得するように構成されている。そして、上側取得部１３ｂは、上側第１搬送ローラ１１ｂから移送される媒体Ｍａ又はＭｂの厚さに基づく上側第１搬送ローラ１１ｂの第１の方向に直交する第２の方向の変位に基づいて、第２の方向に変位するように構成されている。そのため、厚手の媒体Ｍｂの場合には、媒体Ｍｂを搬送する上側第１搬送ローラ１１ｂが第２の方向の上側に変位し、それに伴って、上側取得部１３ｂが第２の方向の上側に変位することになる。これにより、厚手の媒体Ｍｂであっても、媒体Ｍｂが上側取得部１３ｂの下側を押し上げる必要がなくなるので、上側第１搬送ローラ１１ｂの回転軸に大型のモーターや減速比の大きなギア列等を設ける必要がなく、装置本体２５ｂの大型化を抑制することができる。したがって、装置の大型化を抑制して、媒体Ｍａ又はＭｂの厚さに関係なく安定した画像情報の取得を実現することができる。
【００６６】
（１０）上側取得部１３ｂの第２の方向における変位の大きさが上側第１搬送ローラ１１ｂの第２の方向における変位の大きさよりも小さく、第２の方向に変位した上側取得部１３ｂから媒体Ｍｂが搬送される搬送面までの距離が媒体Ｍｂの厚さよりも大きくなっている場合には、上側取得部１３ｂと媒体Ｍｂの表面との間に適度な隙間を形成することができる。
【００６７】
（１１）上側第１搬送ローラ１１ｂ、上側取得部１３ｂ及び上側第２搬送ローラ１２ｂが連結部１４ｂによって連結されているので、上側第１搬送ローラ１１ｂ又は上側第２搬送ローラ１２ｂの第２の方向における変位が所定の大きさになるまで、上側取得部１３ｂが第２の方向に変位しないことになる。そのため、媒体Ｍｂの厚さが所定の厚さを超えた場合にだけ、上側取得部１３ｂを第２の方向に変位させることができる。
【００６８】
《発明の実施形態３》
図１３〜図１６は、本発明に係る情報取得装置の実施形態３を示している。ここで、図１３は、本実施形態のドキュメントスキャナを構成する装置本体２５ｃにおいて、搬送ローラ間に媒体Ｍが移送される前の内部構造を示す側面図である。また、図１４は、装置本体２５ｃを構成する上側取得部１３ｃの斜視図である。また、図１５は、図１４中の領域Ｅを拡大した断面図である。また、図１６は、装置本体２５ｃにおいて、搬送ローラ間に媒体Ｍが移送された後の内部構造を示す断面図である。
【００６９】
本実施形態のドキュメントスキャナは、下側筐体２１、上側筐体２２、左側面カバー２３ａ及び右側面カバー２３ｂを有する装置本体２５ｃと、装置本体２５ｃの背面側にヒンジを介して連結された第１給紙トレー２６と、第１給紙トレー２６の背面側にヒンジを介して連結された第２給紙トレー２７とを備えている。
【００７０】
上側筐体２２内には、図１３〜図１６に示すように、上側第１搬送ローラ１１ｂ、上側取得部１３ｃ及び上側第２搬送ローラ１２ｂがそれぞれ設けられている。ここで、上側第１搬送ローラ１１ｂ及び上側第２搬送ローラ１２ｂは、図１３及び図１６に示すように、上側取得部１３ｃの第１の方向の一方側（図中左側）及び他方側（図中右側）に配置されている。
【００７１】
上側取得部１３ｃは、図１３〜図１６に示すように、上側第１搬送ローラ１１ｂ及び上側第２搬送ローラ１２ｂの間に設けられ、下側第１搬送ローラ１１ａ及び上側第１搬送ローラ１１ｂの間から移送された媒体Ｍの表面に形成された画像情報を取得するように構成されている。また、上側取得部１３ｃは、図１３及び図１６に示すように、媒体Ｍの搬送路を挟んで、下側取得部１３ｕに対向するように設けられている。また、上側取得部１３ｃは、図１３〜図１６に示すように、上側筐体２２の天井面から下方に突出して上側筐体２２内に固定されたガイド部材２２ａ及び２２ｂに沿って高さ方向に移動可能に設けられている。また、上側取得部１３ｃは、上側筐体２２との間に弾性部材として設けられたスプリング１５（図１４参照）により、下側取得部１３ｕ側に付勢されている。また、上側取得部１３ｃは、ＣＩＳであり、図１６に示すように、下側が開口した横断面Ｕ字状に設けられたセンサー筐体２と、センサー筐体２内に設けられた光源３及び受光素子４と、センサー筐体２の開口した部分を覆うように設けられたガラス板１とを備えている。ここで、上側取得部１３ｃのセンサー筐体２の上面の中央部には、図１４に示すように、後述する調整部５ａ及び５ｂを構成する吊上部材１７ａ及び１７ｂを回転可能に支持するための突出部２ｄが設けられている。また、上側取得部１３ｃのセンサー筐体２の上面の両端部には、図１４に示すように、左側面カバー２３ａ及び右側面カバー２３ｂから突出する凸部２３ｃが挿入される貫通孔を有する突出部２ａが設けられている。
【００７２】
調整部５ａは、図１４及び図１５に示すように、上側第１搬送ローラ１１ｂを回転可能に支持するローラ支持部材１６ａと、上側筐体２２内の突出部２２ｃに回転軸Ｓａが固定されて一方の端部を中心に回転可能に設けられた棒状の吊上部材１７ａとを備えている。ここで、吊上部材１７ａには、一方の端部から他方の端部に向けてローラ支持部材１６ａ及び上側取得部１３ｃが回転軸Ｓｂ及びＳｃを介して吊した状態に順に連結されている。なお、吊上部材１７ａの回転軸Ｓｃが挿入される貫通孔は、図１４及び図１５に示すように、吊上部材１７ａに必要な回転動作が可能になるように、長穴になっている。そのため、調整部５ａは、媒体Ｍの移送による上側第１搬送ローラ１１ｂの押し上げによって、ローラ支持部材１６ａが押し上げられると、吊上部材１７ａの一方の端部（回転軸Ｓａ）が支点として機能し、吊上部材１７ａのローラ支持部材１６ａとの連結部分（回転軸Ｓｂ）が力点として機能し、吊上部材１７ａの上側取得部１３ｃとの連結部分（回転軸Ｓｃ）が作用点として機能することになる。これにより、調整部５ａは、上側第１搬送ローラ１１ｂ及び上側取得部１３ｃを連動させて上述した第２の方向に変位させる際に、てこの原理に基づいて、吊上部材１７ａのローラ支持部材１６ａとの連結部分（回転軸Ｓｂ）の押し上げ量よりも、吊上部材１７ａの上側取得部１３ｃとの連結部分（回転軸Ｓｃ）の押し上げ量を大きくすることができる。
【００７３】
調整部５ｂは、図１４及び図１５に示すように、上側第２搬送ローラ１２ｂを回転可能に支持するローラ支持部材１６ｂと、上側筐体２２内の突出部２２ｄに回転軸Ｓａが固定されて一方の端部を中心に回転可能に設けられた棒状の吊上部材１７ｂとを備えている。ここで、吊上部材１７ｂには、一方の端部から他方の端部に向けてローラ支持部材１６ｂ及び上側取得部１３ｃが回転軸Ｓｂ及びＳｃを介して吊した状態に順に連結されている。なお、吊上部材１７ｂの回転軸Ｓｃが挿入される貫通孔は、図１４及び図１５に示すように、吊上部材１７ｂに必要な回転動作が可能になるように、長穴になっている。そのため、調整部５ｂは、媒体Ｍの移送による上側第２搬送ローラ１２ｂの押し上げによって、ローラ支持部材１６ｂが押し上げられると、吊上部材１７ｂの一方の端部（回転軸Ｓａ）が支点として機能し、吊上部材１７ｂのローラ支持部材１６ｂとの連結部分（回転軸Ｓｂ）が力点として機能し、吊上部材１７ｂの上側取得部１３ｃとの連結部分（回転軸Ｓｃ）が作用点として機能することになる。これにより、調整部５ｂは、上側第２搬送ローラ１２ｂ及び上側取得部１３ｃを連動させて上述した第２の方向に変位させる際に、てこの原理に基づいて、吊上部材１７ｂのローラ支持部材１６ｂとの連結部分（回転軸Ｓｂ）の押し上げ量よりも、吊上部材１７ｂの上側取得部１３ｃとの連結部分（回転軸Ｓｃ）の押し上げ量を大きくすることができる。
【００７４】
したがって、本実施形態のドキュメントスキャナの装置本体２５ｃは、図１６に示すように、下側第１搬送ローラ１１ａ及び上側第１搬送ローラ１１ｂの間に媒体Ｍが移送されると、上側第１搬送ローラ１１ｂ及びローラ支持部材１６ａが順に押し上げられ、吊上部材１７ａが回転することにより、上側取得部１３ｃが押し上げられるように構成されている。なお、下側第２搬送ローラ１２ａ及び上側第２搬送ローラ１２ｂの間に図１６の図中右側から媒体Ｍが移送される場合は、上側第２搬送ローラ１２ｂ及びローラ支持部材１６ｂが順に押し上げられ、吊上部材１７ｂが回転することにより、上側取得部１３ｃが押し上げられる。
【００７５】
以上説明したように、本実施形態のドキュメントスキャナによれば、上述した（１）、（３）〜（９）及び以下の効果を得ることができる。
【００７６】
（１）について詳述すると、上側取得部１３ｃは、上側第１搬送ローラ１１ｂにより第１の方向に搬送される媒体Ｍの表面に形成された画像情報を取得するように構成されている。そして、上側取得部１３ｃは、上側第１搬送ローラ１１ｂから移送される媒体Ｍの厚さに基づく上側第１搬送ローラ１１ｂの第１の方向に直交する第２の方向の変位に基づいて、第２の方向に変位するように構成されている。そのため、媒体Ｍの厚さが厚くなると、媒体Ｍを搬送する上側第１搬送ローラ１１ｂが第２の方向の上側に変位し、それに伴って、上側取得部１３ｃが第２の方向の上側に変位することになる。これにより、媒体Ｍの厚さが厚くなっても、媒体Ｍが上側取得部１３ｃの下側を押し上げる必要がなくなるので、上側第１搬送ローラ１１ｂの回転軸に大型のモーターや減速比の大きなギア列等を設ける必要がなく、装置本体２５ｃの大型化を抑制することができる。したがって、装置の大型化を抑制して、媒体Ｍの厚さに関係なく安定した画像情報の取得を実現することができる。
【００７７】
（１２）調整部５ａは、上側第１搬送ローラ１１ｂを回転可能に支持するローラ支持部材１６ａと、一方の端部を中心に回転可能に設けられた棒状の吊上部材１７ａとを備えている。ここで、吊上部材１７ａには、一方の端部から他方の端部に向けてローラ支持部材１６ａ及び上側取得部１３ｃが吊した状態に順に連結されている。そのため、媒体Ｍの移送による上側第１搬送ローラ１１ｂの押し上げによって、ローラ支持部材１６ａが押し上げられると、吊上部材１７ａの一方の端部が支点として機能し、吊上部材１７ａのローラ支持部材１６ａとの連結部分が力点として機能し、吊上部材１７ａの上側取得部１３ｃとの連結部分が作用点として機能することになる。これにより、てこの原理に基づいて、吊上部材１７ａのローラ支持部材１６ａとの連結部分の押し上げ量よりも、吊上部材１７ａの上側取得部１３ｃとの連結部分の押し上げ量を大きくすることができる。なお、上側取得部１３ｃ及び上側第２搬送ローラ１２ｂを連動させる調整部５ｂについても、同様に、吊上部材１７ｂのローラ支持部材１６ｂとの連結部分の押し上げ量よりも、吊上部材１７ｂの上側取得部１３ｃとの連結部分の押し上げ量を大きくすることができる。
【００７８】
《発明の実施形態４》
図１７〜図１９は、本発明に係る情報取得装置の実施形態４を示している。ここで、図１７は、本実施形態のドキュメントスキャナを構成する装置本体２５ｄにおいて、搬送ローラ間に媒体Ｍが移送される前の内部構造を示す側面図である。また、図１８は、装置本体２５ｄにおいて、搬送ローラ間に媒体Ｍが移送された後の内部構造を示す側面図である。また、図１９は、装置本体２５ｄを構成する上側取得部１３ｄ及びその周辺部の断面図である。
【００７９】
本実施形態のドキュメントスキャナは、下側筐体２１、上側筐体２２、左側面カバー２３ａ及び右側面カバー２３ｂを有する装置本体２５ｄと、装置本体２５ｄの背面側にヒンジを介して連結された第１給紙トレー２６と、第１給紙トレー２６の背面側にヒンジを介して連結された第２給紙トレー２７とを備えている。
【００８０】
上側筐体２２内には、図１７及び図１８に示すように、上側第１搬送ローラ１１ｂ、上側取得部１３ｄ及び上側第２搬送ローラ１２ｂがそれぞれ設けられている。ここで、上側第１搬送ローラ１１ｂ及び上側第２搬送ローラ１２ｂは、図１７及び図１８に示すように、上側取得部１３ｄの第１の方向の一方側（図中左側）及び他方側（図中右側）に配置されている。
【００８１】
上側第１搬送ローラ１１ｂ及び上側第２搬送ローラ１２ｂは、図１７〜図１９に示すように、回転可能に支持するように設けられた連結部１４ｄにより連結されている。
【００８２】
上側取得部１３ｄは、図１７〜図１９に示すように、上側第１搬送ローラ１１ｂ及び上側第２搬送ローラ１２ｂの間に設けられ、下側第１搬送ローラ１１ａ及び上側第１搬送ローラ１１ｂの間から移送された媒体Ｍに形成された画像情報を取得するように構成されている。また、上側取得部１３ｄは、図１７及び図１８に示すように、媒体Ｍの搬送路を挟んで、下側取得部１３ｕに対向するように設けられている。また、上側取得部１３ｄは、図１７〜図１９に示すように、上側筐体２２の天井面から下方に突出して上側筐体２２内に固定されたガイド部材２２ａ及び２２ｂに沿って上述した第２の方向に移動可能に設けられている。また、上側取得部１３ｄは、上側筐体２２との間に弾性部材として設けられたスプリング１５（図４参照）により、下側取得部１３ｕ側に付勢されている。また、上側取得部１３ｄは、ＣＩＳであり、図１９に示すように、下側に開口した横断面Ｕ字状に設けられたセンサー筐体２と、センサー筐体２内に設けられた光源３及び受光素子４と、センサー筐体２の開口した部分を覆うように設けられたガラス板１とを備えている。ここで、上側取得部１３ｄの上側第１搬送ローラ１１ｂ側の側面には、図１９に示すように、後述する調整部５ｃを構成する押上部材１９が当接する内壁面２ｆを有する凹部２ｅが設けられている。そして、凹部２ｅの内壁面２ｆは、図１９に示すように、上側第１搬送ローラ１１ｂ側から上側第２搬送ローラ１２ｂ側に向けて下降するように傾斜している。なお、上側取得部１３ｄのセンサー筐体２の上面の両端部には、左側面カバー２３ａ及び右側面カバー２３ｂから突出する凸部２３ｃが挿入される貫通孔を有する突出部２ａが設けられている。
【００８３】
調整部５ｃは、図１７〜図１９に示すように、上側第１搬送ローラ１１ｂを一方の端部で回転可能に支持する棒状のローラ支持部材１８と、ローラ支持部材１８の他方の端部に回転軸Ｓｄを介して連結された押上部材１９とを備えている。ここで、ローラ支持部材１８は、図１９に示すように、上側第１搬送ローラ１１ｂの押し上げに伴って、その他方（回転軸Ｓｄ側）の端部が上側筐体２２内に設けられた壁部材２２ｅの下面に当接することにより、回転軸１０ｂを中心に時計回りに回転するように構成されている。また、押上部材１９は、上側第１搬送ローラ１１ｂの押し上げに伴って媒体Ｍの搬送方向（第１の方向）に移動して内壁面２ｆに当接して、上側取得部１３ｄを押し上げるように構成されているので、内壁面２ｆの傾斜角度により、上側取得部１３ｄの押し上げ量を調整することができる。このように、調整部５ｃは、上側第１搬送ローラ１１ｂ、上側取得部１３ｄ及び上側第２搬送ローラ１２ｂを連動させて上述した第２の方向に変位させるように構成されている。
【００８４】
したがって、本実施形態のドキュメントスキャナの装置本体２５ｄは、図１８に示すように、下側第１搬送ローラ１１ａ及び上側第１搬送ローラ１１ｂの間に媒体Ｍが移送されると、上側第１搬送ローラ１１ｂの押し上げに伴って、ローラ支持部材１８が連動して、押上部材１９が上側取得部１３ｄの凹部２ｅ内に挿入されることにより、上側取得部１３ｄを押し上げるように構成されている。
【００８５】
以上説明したように、本実施形態のドキュメントスキャナによれば、上述した（１）、（３）〜（５）、（７）〜（９）及び以下の効果を得ることができる。
【００８６】
（１）について詳述すると、上側取得部１３ｄは、上側第１搬送ローラ１１ｂにより第１の方向に搬送される媒体Ｍの表面に形成された画像情報を取得するように構成されている。そして、上側取得部１３ｄは、上側第１搬送ローラ１１ｂから移送される媒体Ｍの厚さに基づく上側第１搬送ローラ１１ｂの第１の方向に直交する第２の方向の変位に基づいて、第２の方向に変位するように構成されている。そのため、媒体Ｍの厚さが厚くなると、媒体Ｍを搬送する上側第１搬送ローラ１１ｂが第２の方向の上側に変位し、それに伴って、上側取得部１３ｄが第２の方向の上側に変位することになる。これにより、媒体Ｍの厚さが厚くなっても、媒体Ｍが上側取得部１３ｄの下側を押し上げる必要がなくなるので、上側第１搬送ローラ１１ｂの回転軸に大型のモーターや減速比の大きなギア列等を設ける必要がなく、装置本体２５ｄの大型化を抑制することができる。したがって、装置の大型化を抑制して、媒体Ｍの厚さに関係なく安定した画像情報の取得を実現することができる。
【００８７】
（１３）調整部５ｃは、上側第１搬送ローラ１１ｂを一方の端部で回転可能に支持する棒状のローラ支持部材１８と、ローラ支持部材１８の他方の端部に連結された押上部材１９とを備えている。ここで、押上部材１９は、上側ローラ１０ｂの押し上げに伴って媒体Ｍの搬送方向に移動して上側取得部１３ｄを押し上げるように構成されている。これにより、上側第１搬送ローラ１１ｂが押し上がった分に対応する分だけ、押上部材１９が媒体Ｍの搬送方向に移動し、押上部材１９が媒体Ｍの搬送方向に移動した分に対応する分だけ、上側取得部１３ｄを押し上げることができる。
【００８８】
（１４）押上部材１９は、上側取得部１３ｄの側面に形成された凹部２ｅの傾斜した内壁面２ｆに当接して、上側取得部１３ｄを押し上げるように構成されているので、内壁面２ｆの傾斜角度により、上側第１搬送ローラ１１ｂが押し上がった分に対応する上側取得部１３ｄの押し上げ量を調整することができる。
【００８９】
《発明の実施形態５》
図２０及び図２１は、本発明に係る情報取得装置の実施形態５を示している。ここで、図２０は、本実施形態のドキュメントスキャナを構成する装置本体２５ｅにおいて、搬送ローラ間に媒体Ｍが移送される前の内部構造を示す側面図である。また、図２１は、装置本体２５ｅにおいて、搬送ローラ間に媒体Ｍが移送された後の内部構造を示す側面図である。
【００９０】
上記実施形態１〜４には、下側筐体２１に下側取得部１３ｕが設けられた装置本体２５ａ〜２５ｄを備えたドキュメントスキャナを例示したが、本実施形態では、下側筐体２１に対向部１３ｖが設けられた装置本体２５ｅを備えたドキュメントスキャナを例示する。
【００９１】
本実施形態のドキュメントスキャナは、下側筐体２１、上側筐体２２、左側面カバー２３ａ及び右側面カバー２３ｂを有する装置本体２５ｅと、装置本体２５ｅの背面側にヒンジを介して連結された第１給紙トレー２６と、第１給紙トレー２６の背面側にヒンジを介して連結された第２給紙トレー２７とを備えている。
【００９２】
下側筐体２２内には、図２０及び図２１に示すように、下側第１搬送ローラ１１ａ、対向部１３ｖ及び下側第２搬送ローラ１２ａがそれぞれ設けられている。ここで、下側第１搬送ローラ１１ａ及び下側第２搬送ローラ１２ａは、図２０及び図２１に示すように、対向部１３ｖの第１の方向の一方側（図中左側）及び他方側（図中右側）に配置されている。
【００９３】
対向部１３ｖは、図２０及び図２１に示すように、媒体Ｍの裏面に接触する押当部材６と、押当部材６を上側取得部１３ａ側に付勢する弾性部材として設けられたスプリング７とを備えている。ここで、対向部１３ｖは、媒体Ｍの搬送路を挟んで上側取得部１３ａに対向するように設けられ、下側第１搬送ローラ１１ａ及び上側第１搬送ローラ１１ｂから移送された媒体Ｍの裏面に面接触するように構成されている。
【００９４】
上記構成のドキュメントスキャナは、図２０及び図２１に示すように、下側第１搬送ローラ１１ａ及び上側第１搬送ローラ１１ｂの間に媒体Ｍが移送されると、上側第１搬送ローラ１１ｂが押し上げられ、上側第１搬送ローラ１１ｂに連結された上側取得部１３ａが押し上げられるように構成されている。なお、第２搬送ローラを構成する下側第２搬送ローラ１２ａ及び上側第２搬送ローラ１２ｂの間に媒体Ｍが移送された場合であっても、同様である。
【００９５】
以上説明したように、本実施形態のドキュメントスキャナによれば、上述した（１）〜（８）の効果を得ることができる。
【００９６】
なお、本実施形態では、上記実施形態１の装置本体２５ａに対向部１３ｖを採用した構成を例示したが、上記実施形態２〜４の装置本体２５ｂ〜２５ｄに対向部１３ｖを採用した構成であってもよい。
【００９７】
また、上記各実施形態では、上側ローラの押し上げに伴って上側取得部が押し上げられるドキュメントスキャナを例示したが、本発明は、下側ローラの押し下げに伴って下側取得部が押し下げられる装置本体を備えたドキュメントスキャナにも適用することができる。
【００９８】
また、上記各実施形態では、上側の搬送ローラと下側の搬送ローラとで媒体を挟んで搬送するドキュメントスキャナを例示したが、本発明は、例えば、下側の搬送ローラの代わりに媒体の裏面に面接触する受け台を設け、上側の搬送ローラだけで媒体を搬送するドキュメントスキャナにも適用することができる。
【００９９】
なお、上記各実施形態では、ＣＩＳを備えたドキュメントスキャナを例示したが、本発明は、ＣＣＤ等を備えたドキュメントスキャナにも適用することができる。
【産業上の利用可能性】
【０１００】
以上説明したように、本発明は、ドキュメントスキャナ等の情報取得装置について有用である。
【符号の説明】
【０１０１】
Ｍ，Ｍａ，Ｍｂ    媒体
１１ｂ    上側第１搬送ローラ
１２ｂ    上側第２搬送ローラ
１３ａ〜１３ｄ    上側取得部
５０      ドキュメントスキャナ（情報取得装置）
【図１】
2018020888.tif 000003
【図２】
2018020888.tif 000004
【図３】
2018020888.tif 000005
【図４】
2018020888.tif 000006
【図５】
2018020888.tif 000007
【図６】
2018020888.tif 000008
【図７】
2018020888.tif 000009
【図８】
2018020888.tif 000010
【図９】
2018020888.tif 000011
【図１０】
2018020888.tif 000012
【図１１】
2018020888.tif 000013
【図１２】
2018020888.tif 000014
【図１３】
2018020888.tif 000015
【図１４】
2018020888.tif 000016
【図１５】
2018020888.tif 000017
【図１６】
2018020888.tif 000018
【図１７】
2018020888.tif 000019
【図１８】
2018020888.tif 000020
【図１９】
2018020888.tif 000021
【図２０】
2018020888.tif 000022
【図２１】
2018020888.tif 000023